(57)【要約】  本発明は、幼稚園や保育園のような乳幼児教育機関に通う乳幼児に関する通知事項を教師と保護者との間にリアルタイムアラームすることにより、教師と保護者との間で情報を共有して乳幼児の総合的なケアを可能にするインタラクションサービスを提供し、より具体的には、教師が端末を用いて子供が所持しているＮＦＣカードをタギングした後、通知メッセージを作成して伝送すれば、インタラクションサービス装置が上記通知メッセージを受信し、通知メッセージの特定単語と連係するソーシャルコマース接続アドレスを通知メッセージの一部領域に添付して保護者に伝送するように具現した装置及び方法、これを利用したシステムに関するものである。
2015511364.tif 000002
【特許請求の範囲】
【請求項１】
教師端末から一つ以上の乳幼児識別情報と通知メッセージを受信する通信インターフェース部；及び
上記乳幼児識別情報と通知メッセージが受信されれば、受信した通知メッセージを上記乳幼児識別情報と連係させてメモリに保存し、上記受信した乳幼児識別情報とマッチする保護者端末を照会し、照会された保護者端末に上記通知メッセージをリアルタイム伝送する通知メッセージ管理部；
を含む乳幼児のためのインタラクションサービスを提供する装置。
【請求項２】
上記教師端末に乳幼児アプリケーションを提供するアプリケーション提供部；及び
上記通信インターフェース部を介して伝送される通知メッセージ以外の乳幼児情報、乳幼児関連機関情報、教師端末情報、乳幼児保護者情報、保護者端末情報を上記乳幼児識別情報と連係させて保存部に保存し、保存された情報を削除したりアップデートする乳幼児情報管理部；
を更に含む請求項１に記載の乳幼児のためのインタラクションサービスを提供する装置。
【請求項３】
上記通知メッセージ管理部は、上記通知メッセージに含まれた任意の単語が既保存の単語と一致する場合、上記単語と連係して保存されている外部サービス提供装置のＵＲＬ接続アドレスを上記通知メッセージの一部領域に含めることを特徴とする請求項１に記載の乳幼児のためのインタラクションサービスを提供する装置。
【請求項４】
上記外部サービス提供装置は、ソーシャルコマースサービス提供装置、体験授業サービス提供装置、見学場所ホームページのうち何れか一つを含むことを特徴とする請求項３に記載の乳幼児のためのインタラクションサービスを提供する装置。
【請求項５】
インタラクションサービス装置との通信を行う通信インターフェース部；
乳幼児が所持しているＮＦＣ（Ｎｅａｒ  Ｆｉｅｌｄ  Ｃｏｍｍｕｎｉｃａｔｉｏｎ）タグのタギングを通して乳幼児識別情報を獲得するＮＦＣ認識部；
乳幼児の統合管理のためのアプリケーションの動作を制御し、上記アプリケーションを実行させて通知メッセージ受信対象の選定及び通知メッセージの入力を含む使用者メニューを提供する乳幼児アプリケーション実行部；及び
上記通知メッセージ受信対象が選定され、上記通知メッセージが入力されれば、選定された受信対象に該当する乳幼児識別情報と入力された通知メッセージをインタラクションサービス装置に伝送する制御部；
を含む端末。
【請求項６】
上記乳幼児アプリケーション実行部で提供する通知メッセージ受信対象の選定及び通知メッセージの入力を表示する表示部；及び
上記通知メッセージ受信対象を選定したり通知メッセージを入力するための入力部；
を更に含む請求項５に記載の端末。
【請求項７】
上記乳幼児アプリケーション実行部は、上記ＮＦＣ認識部でタグを通して獲得した情報が暗号化された情報である場合、暗号化された情報を解読する機能を更に行うことを特徴とする請求項５に記載の端末。
【請求項８】
上記乳幼児アプリケーション実行部は、上記通知メッセージ受信対象としてクラス全体を選択したり、ＮＦＣタグのタギングを通して１名以上の受信対象を選択することを特徴とする請求項５に記載の端末。
【請求項９】
インタラクションサービス装置との通信を行う通信インターフェース部；及び
上記通信インターフェース部を介して通知メッセージが受信されれば、受信情報があることを知らせるアラームを表示部に出力し、上記アラームの選択が入力されれば、上記通知メッセージを表示部に出力するように制御する制御部；
を含む端末。
【請求項１０】
上記通知メッセージにソーシャルコマースサービス提供装置の接続アドレスが含まれている場合、上記制御部は、上記接続アドレスが選択されれば、上記接続アドレスに接続させ、接続されたソーシャルコマースサービス提供装置を介して電子商取引サービスを提供することを特徴とする請求項９に記載の端末。
【請求項１１】
教師端末が乳幼児アプリケーションを駆動させてＮＦＣタグのタギングを通して通知メッセージ受信対象を選定する段階；
上記教師端末が上記乳幼児アプリケーションを通して通知メッセージを入力し、入力された通知メッセージと上記タギングを通して獲得した乳幼児識別情報をインタラクションサービス装置に伝送する段階；
上記インタラクションサービス装置が受信した乳幼児識別情報と通知メッセージを連係させて保存し、上記乳幼児識別情報とマッチする保護者端末に上記通知メッセージを伝送する段階；及び
上記保護者端末が通知メッセージを受信し、通知メッセージを表示する段階；
を含む乳幼児のためのインタラクションサービスを提供する方法。
【請求項１２】
上記通知メッセージを伝送する段階において、外部サービス提供装置のＵＲＬ接続アドレスと連係して保存されている単語が上記通知メッセージに含まれている場合、上記単語と連係して保存されている外部サービス提供装置のＵＲＬ接続アドレスを上記通知メッセージと共に伝送することを特徴とする請求項１１に記載の乳幼児のためのインタラクションサービスを提供する方法。
【請求項１３】
上記タギングを通して獲得した乳幼児識別情報をインタラクションサービス装置に伝送する段階において、
上記タギングを通して獲得した乳幼児識別情報が暗号化されている場合、上記教師端末は、既保存の復号化キーを用いて暗号化された情報を解読することを特徴とする請求項１１に記載の乳幼児のためのインタラクションサービスを提供する方法。
【請求項１４】
上記タギングを通して獲得した乳幼児識別情報をインタラクションサービス装置に伝送する段階において、
上記乳幼児識別情報がタギング時に暗号化されており、上記教師端末が復号化キーを有していない場合、
上記教師端末は、暗号化された情報をインタラクションサービス装置に伝送し復号化を要請した後、インタラクションサービス装置から解読された乳幼児識別情報を受信することを特徴とする請求項１１に記載の乳幼児のためのインタラクションサービスを提供する方法。
【請求項１５】
上記通知メッセージ受信対象を選定する段階において、
上記教師端末がクラス全体を通知メッセージ受信対象として選定する場合、ＮＦＣタグのタギングなしにメニュー選択を通して通知メッセージ受信対象を選定することを特徴とする請求項１１に記載の乳幼児のためのインタラクションサービスを提供する方法。
【請求項１６】
上記通知メッセージを表示する段階は、
上記保護者端末が通知メッセージを受信して受信アラームを表示する段階；及び
上記受信アラームの確認が入力されれば、通知メッセージを表示する段階；
を更に含むことを特徴とする乳幼児のためのインタラクションサービスを提供する請求項１１に記載の方法。
【請求項１７】
上記通知メッセージを伝送する段階は、
外部サービス提供装置のＵＲＬ接続アドレスと連係して保存されている単語が上記通知メッセージに含まれている場合、上記通知メッセージの一部領域に上記外部サービス提供装置のＵＲＬ接続アドレスを含める段階を更に含むことを特徴とする請求項１１に記載の乳幼児のためのインタラクションサービスを提供する方法。
【請求項１８】
上記通知メッセージに外部サービス提供装置のＵＲＬ接続アドレスが含まれている場合、上記ＵＲＬ接続アドレスの選択が入力されれば、上記ＵＲＬ接続アドレスに接続することを特徴とする請求項１６に記載の乳幼児のためのインタラクションサービスを提供する方法。
【請求項１９】
通知メッセージと乳幼児識別情報を受信する段階；
上記通知メッセージにソーシャルコマースサービス提供装置の接続アドレスと連係して既保存されている単語が含まれているかを照会する段階；
上記通知メッセージに上記既保存されている単語が含まれている場合、上記通知メッセージの一部領域に上記ソーシャルコマースサービス提供装置の接続アドレスを含める段階；
上記乳幼児識別情報とマッチする保護者端末を照会する段階；及び
上記照会した保護者端末へ上記ソーシャルコマースサービス提供装置の接続アドレスを含む上記通知メッセージを伝送する段階；
を実行するインタラクションサービス提供装置におけるインタラクションサービス方法。
【請求項２０】
請求項１９のインタラクションサービス方法を実行するためのプログラムを記録した、コンピュータで読取可能な記録媒体。
【請求項２１】
乳幼児が所持しているＮＦＣタグを読み取って乳幼児識別情報を獲得した後、通知メッセージの入力を受け、入力されたアラームメッセージと上記乳幼児識別情報を連係させて保存し、上記通知メッセージの伝送を要請する教師端末；
上記通知メッセージを受信して上記通知メッセージを表示する保護者端末；及び
上記通知メッセージの伝送を要請する教師端末から上記乳幼児識別情報と通知メッセージを受信して保存し、上記乳幼児の識別情報とマッチして既登録されている保護者端末に上記通知メッセージを伝送して受信アラームを行い、上記通知メッセージの任意の単語と既保存の単語とが一致する場合、上記単語と関連して保存されている外部サービス提供装置の接続アドレスを上記通知メッセージに含めて伝送するインタラクションサービス装置；
を含む乳幼児のためのインタラクションサービスシステム。
【発明の詳細な説明】
【技術分野】
【０００１】
本発明は、乳幼児のためのインタラクションサービスに関するもので、より詳しくは、幼稚園や保育園に通う乳幼児に関する通知事項を教師と保護者との間にリアルタイムアラームすることにより、教師と保護者との間で情報を共有して乳幼児の総合的なケアを可能にするインタラクションサービス装置及び方法、これを利用したシステムに関するものである。
【背景技術】
【０００２】
一般に、乳幼児の教育機関（幼稚園）や保育機関（保育園）は、園児の効果的な人員管理に多大な関心を持ってはいるが、乳幼児は保護者や教師の意志に関係なく各自の好奇心によって行動するため、保護者や教師が持続的に関心を持って世話しなければ、事故が起きたり迷子になったりする場合が度々ある。
【０００３】
特に、最近では、保護者の就業により多くの乳幼児が関連機関で生活しているが、保護教師一人当たりに何人もの園児が配され、自身の状態や欲求に対する表現が未熟である乳幼児の特性に因り、乳幼児を総合的に世話するには困難が伴う。
【０００４】
例えば、園児が薬の処方を受けて服用している場合、保護者は投薬依頼書を記載して薬と共に持たせて園へ送り出したら、教師がこれを確認したか、薬は飲ませたか、食欲がないが昼食はどれくらい食べたかは、子供が降園するまで把握できない。また、降園後も、教師が記載してくれたこと以外に気になることがあったり疑問が生じても、連絡帳を通して質問すると回答を得られるまで非常に長く待たなければならず、電話で尋ねるとしても、何人もの子供を世話しなければならない教師の立場で詳細事項まで記憶するのは難しいことから、保護者はきちんとした回答を得られない場合もある。
【０００５】
このように、乳幼児の特異事項について教師と保護者との間でリアルタイム情報共有が必要なのが実情である。
【発明の概要】
【発明が解決しようとする課題】
【０００６】
本発明の目的は、上記の問題点を解決するために創案されたもので、乳幼児の特異事項について教師と保護者との間でリアルタイム情報共有を可能にするスマートなインタラクションサービスを提供する装置及び方法、これを利用したシステムを提供することにある。
【０００７】
本発明の他の目的は、準備物とソーシャルコマースの連係が可能なインタラクションサービスを提供することにある。
【課題を解決するための手段】
【０００８】
このために、本発明の第１側面によれば、本発明による乳幼児のためのインタラクションサービスシステムは、乳幼児が所持しているＮＦＣタグを読み取って上記乳幼児の識別情報を獲得した後、通知メッセージの入力を受け、入力された通知メッセージと上記乳幼児の識別情報を連係させて保存し、上記通知メッセージの伝送を要請する教師端末と、上記通知メッセージを受信して上記通知メッセージを表示する保護者端末と、上記通知メッセージの伝送を要請する教師端末から上記乳幼児の識別情報と通知メッセージを受信して保存し、上記乳幼児の識別情報とマッチして既登録されている保護者端末に上記通知メッセージを伝送して受信アラームを行い、上記通知メッセージの任意の単語と既保存の単語とが一致する場合、上記単語に関連して保存されている外部サービス提供装置の接続アドレスを上記通知メッセージに含めて伝送するインタラクションサービス装置とを含むことを特徴とする。
【０００９】
本発明の第２側面によれば、本発明による乳幼児のためのインタラクションサービスを提供する装置は、教師端末から一つ以上の乳幼児識別情報と通知メッセージを受信する通信インターフェース部と、上記乳幼児識別情報と通知メッセージが受信されれば、受信した通知メッセージを上記乳幼児識別情報と連係させてメモリに保存し、上記受信した乳幼児識別情報とマッチする保護者端末を照会し、照会された保護者端末に上記通知メッセージをリアルタイム伝送する通知メッセージ管理部とを含むことを特徴とする。
【００１０】
本発明の第３側面によれば、本発明による教師端末は、インタラクションサービス装置との通信を行う通信インターフェース部と、乳幼児が所持しているＮＦＣ（Ｎｅａｒ  Ｆｉｅｌｄ  Ｃｏｍｍｕｎｉｃａｔｉｏｎ）タグのタギングを通して乳幼児識別情報を獲得するＮＦＣ認識部と、乳幼児の統合管理のためのアプリケーションの動作を制御し、上記アプリケーションを実行させて通知メッセージ受信対象の選定及び通知メッセージの入力を含む使用者メニューを提供する乳幼児アプリケーション実行部と、上記通知メッセージ受信対象が選定され上記通知メッセージが入力されれば、選定された受信対象に該当する乳幼児識別情報と入力された通知メッセージをインタラクションサービス装置に伝送する制御部とを含むことを特徴とする。
【００１１】
本発明の第４側面によれば、本発明による保護者端末は、インタラクションサービス装置との通信を行う通信インターフェース部と、上記通信インターフェース部を介して通知メッセージが受信されれば、受信情報があることを知らせるアラームを表示部に出力し、上記選択が入力されれば、上記通知メッセージを表示部に出力するように制御する制御部とを含むことを特徴とする。
【００１２】
本発明の第５側面によれば、本発明による乳幼児のためのインタラクションサービスを提供する方法は、教師端末が乳幼児アプリケーションを駆動させてＮＦＣタグのタギングを通して通知メッセージ受信対象を選定する段階と、上記教師端末が上記乳幼児アプリケーションを通して通知メッセージを入力し、入力された通知メッセージと上記タギングを通して獲得した乳幼児識別情報をインタラクションサービス装置に伝送する段階と、上記インタラクションサービス装置が受信した乳幼児識別情報と通知メッセージを連係させて保存し、上記乳幼児識別情報とマッチする保護者端末に上記通知メッセージを伝送する段階と、上記保護者端末が通知メッセージを受信して、通知メッセージを表示する段階とを含むことを特徴とする。
【００１３】
本発明の第６側面によれば、本発明によるインタラクションサービス提供装置における乳幼児のためのインタラクションサービスを提供する方法は、通知メッセージと上記乳幼児識別情報を受信する段階と、上記通知メッセージにソーシャルコマースサービス提供装置の接続アドレスと連係して既保存されている単語が含まれているかを照会する段階と、上記通知メッセージに上記既保存されている単語が含まれている場合、上記通知メッセージの一部領域に上記ソーシャルコマースサービス提供装置の接続アドレスを含める段階と、上記乳幼児識別情報とマッチする保護者端末情報を照会する段階と、上記照会した保護者端末へ上記ソーシャルコマースサービス提供装置の接続アドレスを含む上記通知メッセージを伝送する段階とを含むことを特徴とする。
【発明の効果】
【００１４】
本発明によれば、教師と保護者との間のインタラクションサービスを提供することにより、乳幼児教育機関と家庭との協力による総合的ケアが可能になるという効果がある。
【００１５】
また、保護者の立場としては、子供の幼稚園生活及び準備物などをリアルタイムで確認できることから、子供の園生活に対する気がかりを解消し、通知メッセージと共に伝送されるソーシャルコマースに接続して準備物を容易に購入できるため、便宜性を提供するという効果がある。
【図面の簡単な説明】
【００１６】
【図１】図１は、本発明の実施例によるインタラクションサービスシステムのネットワーク構成を示した図面である。
【図２】図２は、本発明の実施例による教師端末の細部構成を示した図面である。
【図３】図３は、本発明の実施例による保護者端末の細部構成を示した図面である。
【図４】図４は、本発明の実施例によるインタラクションサービス装置の細部構成を示した図面である。
【図５】図５は、本発明の実施例による乳幼児のためのインタラクションサービスを提供する方法を示した流れ図である。
【図６】図６は、本発明の実施例による教師端末から通知メッセージを伝送する画面を例示する図面である。
【図７】図７は、本発明の実施例による保護者端末がアラームメッセージを受信した画面を示した例示図である。
【図８】図８は、本発明の実施例による保護者端末に通知メッセージが表示された画面を例示する図面である。
【発明を実施するための形態】
【００１７】
以下、添付図面を参照して本発明による実施例を詳しく説明する。本発明の構成及びそれによる作用効果は、以下の詳細な説明から明確に分かるはずである。本発明の詳細な説明に先立って、同一の構成要素に対しては他の図面上に表示されていてもできる限り同一の符号で表示し、公知の構成については、本発明の要旨が分かりにくくなると判断される場合、具体的な説明は省略するので、この点に留意する。
【００１８】
図１は、本発明の実施例によるインタラクションサービスシステムのネットワーク構成を示した図面である。
【００１９】
本発明の実施例によるインタラクションサービスシステムは、教師端末１００、保護者端末２００、インタラクションサービス装置３００及びソーシャルコマースサービス提供装置４００を含む。
【００２０】
教師端末１００及び保護者端末２００は、各端末に乳幼児統合管理のためのアプリケーション（application）が設けられ、設けられたアプリケーションを通して疎通インタラクションサービスを利用できる。ここで、疎通インタラクションサービスとは、教師と保護者との間で乳幼児に関する通知事項がある場合、教師端末と保護者端末を通してリアルタイムで通知事項を伝達し確認する疎通のためのインタラクションを意味する。
【００２１】
このための教師端末１００及び保護者端末２００としては、スマートフォン、ノートブック、タブレットＰＣ、コンピュータなどが利用可能であるが、これに限定されるものではなく、アプリケーションの設置が可能で、該アプリケーションを通したデータの送受信、乳幼児統合管理が可能な装置ならば如何なる装置でも構わない。
【００２２】
また、教師端末１００としては、乳幼児統合管理のためのアプリケーションが設けられており、乳幼児の識別情報を保存しているＮＦＣタグ５００をタギングできるリーダー機が備わった専用端末が利用可能である。教師端末１００は、リーダー機を通してタギングしたＮＦＣタグ５００に対して乳幼児の識別情報を認識し、該当乳幼児に関する通知事項を入力してインタラクションサービス装置３００又は保護者端末２００へ上記通知事項を提供することができる。
【００２３】
本発明の実施例において、乳幼児のＮＦＣタグ５００は、乳幼児を識別できるコードとして、コード情報、乳幼児氏名、機関情報、教師情報、保護者電話番号のうち少なくとも一つ以上を含む。特に、ＮＦＣタグ５００は、乳幼児氏名、機関情報を基本的に含み、保護者電話番号は、インタラクションサービス装置３００に乳幼児情報として別途保存されることができる。上記教師情報は、教師パーソナルデータ、教師端末１００の端末情報を含み、教師端末１００の端末情報は、端末電話番号又は教師端末毎に付与されたＩＤ情報であり得る。
【００２４】
また、乳幼児のＮＦＣタグ５００は、図８に示したように、タグに含まれ得る情報が１次ＮＦＣタギングを通して全て露出されるように設定できるが、保安のために暗号化情報が含まれることができる。暗号化情報が含まれた場合、教師端末１００は、ＮＦＣタグに含まれた乳幼児情報の一部だけを確認することができ、残りの情報は、インタラクションサービス装置３００との暗号化解読過程を通して確認することができる。
【００２５】
このようなＮＦＣタグ５００は、腕輪やカード、首輪などの形態で備えられて、該当機関に通う乳幼児が所持することになる。
【００２６】
保護者端末２００は、乳幼児の保護者が所持する端末である。保護者端末２００は、教師端末１００又はインタラクションサービス装置３００から各乳幼児の通知事項を受信し、受信した通知事項の表示及び確認が可能である。これは、保護者端末２００に設けられている乳幼児アプリケーションを通して提供を受けることができる。
【００２７】
また、保護者端末２００も乳幼児アプリケーションを通して該当乳幼児の通知事項を、インタラクションサービス装置３００を介して又は直接、教師端末１００に伝送する。
【００２８】
通信網は、教師端末１００とインタラクションサービス装置３００との間のデータ通信をインターフェースする。また、インタラクションサービス装置３００と保護者端末２００との間のデータ通信をインターフェースできる。
【００２９】
このような通信網としては、２Ｇ、３Ｇ、４Ｇ、ＷｉＢｒｏ、ＷｉＭａｘ、ＬＴＥなど多様な世代の移動通信網が含まれ、この他に、有線電話網、無線ＬＡＮ（ＷＬＡＮ）、Ｗｉ-Ｆｉを用いたインターネット網、Ｂｌｕｅｔｏｏｔｈ（登録商標）又はＺｉｇｂｅｅ（登録商標）などの近距離通信網、ＲＦＩＤ（Ｒａｄｉｏ  Ｆｒｅｑｕｅｎｃｙ  ＩＤｅｎｔｉｆｉｃａｔｉｏｎ）又はＮＦＣ（Ｎｅａｒ  Ｆｉｅｌｄ  Ｃｏｍｍｕｎｉｃａｔｉｏｎ）などの近接又は近傍通信網などが利用可能である。
【００３０】
インタラクションサービス装置３００は、教師端末１００又は保護者端末２００へ乳幼児統合管理のためのアプリケーションを提供し、該アプリケーションを通して乳幼児の関連機関と保護者との間のインタラクション（ｉｎｔｅｒａｃｔｉｏｎ）サービスを提供する。
【００３１】
具体的に、本発明の実施例によるインタラクションサービス装置３００は、教師端末１００から乳幼児のタギング情報と通知メッセージを受信したら、通知メッセージを乳幼児管理目録に追加し、受信したタギング情報にマッチする保護者端末情報を照会して該当保護者端末へ受信した通知メッセージを提供する。
【００３２】
また、インタラクションサービス装置３００は、通知メッセージの任意の単語と既保存の単語とが一致する場合、上記単語に関連して保存されている外部サービス提供装置の接続アドレスを上記通知メッセージに含める。例えば、通知メッセージに“弁当”という単語が含まれている場合、幼児専門弁当販売サイトの接続アドレスを上記通知メッセージに含めることにより、上記通知メッセージを受信した保護者に便宜を提供することができる。よって、保護者は、上記弁当販売サイトに接続し、電子商取引サービスを通して弁当を注文し決済できる。
【００３３】
また、インタラクションサービス装置３００は、保護者端末２００から保護者端末情報と通知メッセージを受信したら、通知メッセージを乳幼児管理目録に追加し、受信した保護者端末情報にマッチする教師端末情報を照会して該当教師端末へ受信した通知メッセージを提供する。
【００３４】
このように、本発明の実施例によるインタラクションサービスシステムは、インタラクションサービス装置３００を媒介として乳幼児関連機関の教師端末１００と保護者端末２００との間のインタラクションを、特に乳幼児の通知メッセージのための疎通インタラクションサービスを行う。
【００３５】
図２は、本発明の実施例による教師端末の細部構成を示した図面である。
【００３６】
本発明の実施例による教師端末１００は、通信インターフェース部１１０、入力部１２０、ＮＦＣ認識部１３０、制御部１４０、乳幼児アプリケーション実行部１５０、保存部１６０、表示部１７０などを含む。
【００３７】
通信インターフェース部１１０は、通信網を介してインタラクションサービス装置（図１の３００）又は保護者端末（図１の２００）とのデータ通信を行う。
【００３８】
入力部１２０は、データの入力、選択などのように、使用者の操作が可能な入力手段を含む。入力手段は、一般的なキーボード、マウスなどを含むことができ、表示部１７０としてタッチ入力可能なタッチスクリーンが備えられる場合、表示部１７０と一体に備えられることもできる。
【００３９】
ＮＦＣ認識部１３０は、タギング（ｔａｇｇｉｎｇ）を通してＮＦＣタグを認識する。ここで、ＮＦＣ認識部１３０は、乳幼児の統合管理のために乳幼児が所持しているＮＦＣタグを認識するのに適用される。
【００４０】
また、ＮＦＣ認識部１３０は、タギング（ｔａｇｇｉｎｇ)を通してＮＦＣタグを認識する機能を行う。
【００４１】
乳幼児アプリケーション実行部１５０は、乳幼児統合管理のためのアプリケーションの動作を制御する。特に、入力部１２０からアプリケーションの実行が要請されれば、乳幼児アプリケーション実行部１５０が乳幼児アプリケーションを実行させて通知メッセージ受信対象の選定及び通知メッセージの入力を含む使用者のメニュー選択、データ入力、ＮＦＣ認識などを処理する。また、乳幼児アプリケーション実行部１５０は、乳幼児アプリケーションを通して乳幼児のＮＦＣタギング後に入力される乳幼児の通知メッセージを統合管理する。通知メッセージ受信対象の選定時、クラス全体選択メニューを通してクラス全体を受信対象として選定することも、ＮＦＣタグのタギングを通して受信対象を選定することも可能である。
【００４２】
保存部１６０は、乳幼児アプリケーションに必要なデータを保存し、必要に応じて乳幼児関連機関に関する情報、乳幼児情報、通知メッセージを保存してデータベース化できる。乳幼児関連機関に関する情報は、機関名、機関に配布された教師端末の情報、教師情報などを含む。乳幼児情報は、該当機関に通う乳幼児を対象にし、乳幼児のＮＦＣタグ情報を含む基本情報（コード情報、乳幼児氏名、機関情報、教師情報、保護者情報など)を含むことができる。
【００４３】
表示部１７０は、乳幼児アプリケーション実行部１５０を通して実行中である乳幼児アプリケーションを表示し、疎通インタラクションサービスに関する各種情報を視覚的に表示する。
【００４４】
制御部１４０は、教師端末１００の動作を全体的に制御し、特に乳幼児アプリケーション実行部１５０と他の構成要素１１０、１２０、１３０、１７０との間を相互連結してサービスに必要な動作を行うように制御する。
【００４５】
すなわち、入力部１２０を通して乳幼児アプリケーションの実行が要請されれば、制御部１４０が乳幼児アプリケーション実行部１５０に実行を要請し、乳幼児アプリケーション実行部１５０が実行されれば、通知メッセージ入力ウィンドウを表示部１７０に出力し、入力部１２０を通して入力される通知メッセージを、ＮＦＣ認識部１３０を通して認識されたＮＦＣタグ情報とマッチさせて乳幼児管理目録に記録する。
【００４６】
そして、制御部１４０は、ＮＦＣ認識部１３０を通してタギングしたＮＦＣタグ情報と、入力部１２０を通して入力される通知メッセージとを、通信インターフェース部１１０を介して外部のインタラクションサービス装置へ伝送する。
【００４７】
このような構成による教師端末１００は、ＮＦＣタギングを通して乳幼児の識別情報を獲得し該当乳幼児に関する通知メッセージを入力して管理し、通知メッセージを保護者と共有できる。
【００４８】
図３は、本発明の実施例による保護者端末の細部構成を示した図面である。
【００４９】
本発明の実施例による保護者端末２００は、通信インターフェース部２１０、入力部２２０、制御部２３０、乳幼児アプリケーション駆動部２４０、保存部２５０、表示部２６０などを含む。
【００５０】
通信インターフェース部２１０は、通信網を介してインタラクションサービス装置（図１の３００）とのデータ通信を行う。
【００５１】
入力部２２０は、データの入力、選択などのように、使用者の操作が可能な入力手段を含む。入力手段としては、一般的なキーボード、マウスなどを含むことができ、表示部２６０としてタッチ入力可能なタッチスクリーンが備えられる場合、表示部２６０と一体に備えられることもできる。
【００５２】
乳幼児アプリケーション駆動部２４０は、乳幼児統合管理のためのアプリケーションの動作を制御する。特に、入力部２２０からアプリケーションの実行が要請されれば、乳幼児アプリケーション駆動部２４０が乳幼児アプリケーションを実行し、実行中の乳幼児アプリケーションを通して使用者のメニュー選択、データ入力、メッセージ伝送などを処理する。また、アプリケーションを通して送受信される乳幼児の通知メッセージを統合管理する。
【００５３】
保存部２５０は、乳幼児アプリケーションに必要なデータ及び端末情報を保存する。必要に応じて乳幼児情報を保存することができ、乳幼児情報は、乳幼児氏名、機関情報、教師情報などを含むことができる。
【００５４】
表示部２６０は、乳幼児アプリケーション駆動部２４０を通して実行中である乳幼児アプリケーションを表示し、疎通インタラクションサービスに関する各種情報を視覚的に表示する。
【００５５】
制御部２３０は、保護者端末２００の動作を全体的に制御し、特に乳幼児アプリケーション駆動部２４０と他の構成要素２１０、２２０、２５０、２６０との間を相互連結してサービスに必要な動作を行うように制御する。
【００５６】
制御部２３０は、入力部２２０を通して乳幼児アプリケーションの実行が要請されれば、乳幼児アプリケーション駆動部２４０へ実行を要請し、乳幼児アプリケーション駆動部２４０が実行されれば、通知メッセージ入力ウィンドウを表示部２６０に出力し、入力部２２０を通して入力される通知メッセージを、保存部２５０に保存されている乳児識別情報と共に通信インターフェース部２１０を介して外部のインタラクションサービス装置へ伝送する。
【００５７】
また、制御部２３０は、通信インターフェース部２１０を介して通知メッセージが受信されれば、表示部２６０にメッセージ受信を表示するようにし、入力部２２０によりメッセージ表示が選択されれば、乳幼児アプリケーション駆動部２４０へ実行を要請し、乳幼児アプリケーション駆動部２４０が実行されれば、通知メッセージの内容を表示部２６０に表示するようにする。
【００５８】
上記通知メッセージにソーシャルコマースサービス提供装置の接続アドレスが含まれている場合、上記制御部１４０は、上記接続アドレスが選択されれば、通信インターフェース部１１０を介して上記接続アドレスに接続させ、接続されたソーシャルコマースサービス提供装置を介して電子商取引サービスを使用者に提供する。このような構成による保護者端末２００は、ソーシャルコマースサービス提供装置との接続を通して準備物の容易な購入を可能にする。
【００５９】
このように、本発明の一実施例による保護者端末２００は、インタラクションサービス装置（図１の３００）に接続し、インタラクションサービス装置（図１の３００）を媒介として乳幼児の通知メッセージを管理し教師端末（図１の１００）と通知メッセージを送受信する構造を有する。
【００６０】
図４は、本発明の実施例によるインタラクションサービス装置の細部構成を示した図面である。
【００６１】
図４を参照すれば、インタラクションサービス装置３００は、通信インターフェース部３１０、アプリケーション提供部３２０、乳幼児情報管理部３３０、通知メッセージ管理部３４０、データベース部３５０を含んで具現できる。
【００６２】
通信インターフェース部３１０は、乳幼児関連機関の教師端末と保護者端末との間のデータ通信を行う。
【００６３】
アプリケーション提供部３２０は、通信インターフェース部３１０を介してインタラクションサービス装置３００へ接続した教師端末又は保護者端末に乳幼児統合管理のためのアプリケーションを提供する。アプリケーション提供部３２０は、アプリケーションの設置、アップデート、削除などアプリケーション管理機能を行う。
【００６４】
乳幼児情報管理部３３０は、通信インターフェース部３１０を介して伝送される通知メッセージ以外の乳幼児情報、乳幼児関連機関（教育機関、保育機関を含む）に関する情報、教師端末情報、乳幼児保護者情報、保護者端末情報を各々乳幼児識別情報と連係させてデータベース部３５０に保存し、データベース部 ３５０に保存されている情報を削除したりアップデートする。また、乳幼児情報管理部３３０は、登録済みの教師端末と保護者端末に固有のＩＤを付与し、上記ＩＤ情報に基づいて教師端末及び保護者端末を管理できる。
【００６５】
データベース部３５０は、クライアント端末に伝送する乳幼児アプリケーション、通信インターフェース部を介して受信される乳幼児識別情報、通知メッセージをはじめとした、乳幼児情報、乳幼児関連機関情報、教師端末情報ＤＢ３５２、保護者端末情報ＤＢ３５４、ＮＦＣタグ情報と通知メッセージを含む乳幼児の情報を保存した乳幼児情報ＤＢ３５６を含む。
【００６６】
通知メッセージ提供部３４０は、通信インターフェース部３１０を介して送信端末情報、乳幼児識別情報と通知メッセージを受信したら、上記受信した乳幼児識別情報とマッチする受信端末情報を照会し、照会された受信端末情報を用いて受信端末に上記通知メッセージを伝送する。
【００６７】
場合によって、通知メッセージ管理部３４０は、上記通知メッセージに含まれた任意の単語が既保存の単語と一致する場合、上記単語と連係して保存されているソーシャルコマースサービス提供装置のＵＲＬ接続アドレスを上記通知メッセージの一部領域に含めることができる。このような構成により、上記通知メッセージを受信した保護者は、通知メッセージと連係する準備物などを容易に購買したり、通知メッセージに連関する情報を得ることができる。
【００６８】
通知メッセージ管理部３４０は、通信インターフェース部３１０を介して教師端末１００又は保護者端末２００からＮＦＣタグ情報と通知メッセージを受信すれば、ＮＦＣタグ情報とマッチする乳幼児情報管理目録に通知メッセージを保存し、伝送履歴や受信履歴を保存する。
【００６９】
そして、通知メッセージ管理部３４０は、通知メッセージと共に伝送されたＮＦＣタグ情報とマッチする保護者情報を保護者端末ＤＢ３５４から照会して該当保護者端末に通知メッセージを伝送する。この時、通知メッセージ管理部３４０は、保護者端末に通知メッセージがあることを知らせるアラームを一次的に伝送し、伝送したアラームに対する詳細確認要請が保護者端末から受信されれば、詳細情報、即ち、該当乳幼児の通知メッセージを伝送する。
【００７０】
保護者情報は、保護者端末の電話番号、又は既登録の付与された管理ＩＤ番号であり得る。よって、通知メッセージ管理部３４０からデータを伝送する時、ＩＤに基づいて伝送することにより、保護者端末の個人電話番号の露出の恐れを防止できる。
【００７１】
また、通知メッセージ管理部３４０は、通信インターフェース部３１０を介して保護者端末２００から保護者端末情報と通知メッセージを受信すれば、保護者端末情報とマッチするＮＦＣタグ情報と教師端末情報を検索し、マッチする乳幼児情報管理目録に通知メッセージを保存する。そして、通知メッセージ管理部３４０は、教師端末にＮＦＣタグ情報と通知メッセージを伝送する。この時、通知メッセージ管理部３４０は、保護者端末に通知メッセージを伝送した方法と同様に、教師端末に通知メッセージが受信されたことを知らせるアラームを一次的に伝送し、伝送したアラームに対する詳細確認要請が教師端末から受信されれば、詳細情報、即ち、該当乳幼児の通知メッセージを伝送する。
【００７２】
図５は、本発明の実施例による疎通のためのスマートインタラクションサービスを提供する方法を示した流れ図である。
【００７３】
教師は、教師端末１００に設けられた乳幼児アプリケーションを駆動させた後、通知対象を選定する(Ｓ１０、Ｓ２０)。通知対象を選定する時は、メニューを通してクラス全体を選択することも、特定の子供を選択することもできる。特定の子供を選択する場合、教師は教師端末を用いて子供が所持しているＮＦＣタグをタギングする。教師端末は、タギングを通して乳幼児識別情報を獲得する。この時、ＮＦＣタギングを通して獲得した情報が暗号化された情報である場合、乳幼児アプリケーションに保存されている復号化キーを用いて暗号化された情報を解読して、解読された乳幼児識別情報を獲得し、乳幼児アプリケーションを駆動させる。該当教師端末１００に復号化キーが予め保存されていない場合、上記教師端末１００は、暗号化された情報をインタラクションサービス装置３００に伝送して復号化を要請した後、インタラクションサービス装置３００から解読された乳幼児識別情報を受信して使用することができる。
【００７４】
教師端末１００で通知対象が選定されれば、教師端末１００は、通知メッセージウィンドウを表示し、通知メッセージに入力される事項を受信する（Ｓ３０）。即ち、クラス全体を選択したり、ＮＦＣタグをタギングしたら、図６に示されているような通知メッセージ入力ウィンドウが表示され、該当通知メッセージ入力ウィンドウ１０１に通知メッセージを入力して伝送ボタン１０２を選択すれば、通知メッセージがインタラクションサービス装置３００を介して保護者端末２００に伝達される。
【００７５】
次に、教師端末１００は、教師端末情報、通知メッセージと上記乳幼児識別情報をインタラクションサービス装置３００に伝送する(Ｓ４０)。
【００７６】
インタラクションサービス装置３００は、教師端末１００から乳幼児の識別情報と通知メッセージを受信して保存し、上記識別情報とマッチして既登録されている保護者端末２００に上記通知メッセージを伝送する（Ｓ５０、Ｓ６０）。この時、インタラクションサービス装置３００は、上記メッセージに特定単語が含まれているかを確認する。例えば、インタラクションサービス装置３００に“弁当”という単語が“弁当”を販売するサイトの接続アドレスと連係して保存されている場合、上記通知メッセージに“弁当”という単語が含まれているかを検索し、含まれている場合は、上記“弁当”を販売するサイトの接続アドレスを通知メッセージの一部領域に含めて伝送する。
【００７７】
保護者端末２００は、上記通知メッセージが受信されれば、先ず受信をアラームし、上記アラームを表示する（Ｓ７０、Ｓ８０）。より具体的には、保護者端末２００がインタラクションサービス装置を介して通知メッセージを受信したら、情報受信されたことを表示して受信情報があることを知らせるアラームを提供し、このアラームが選択されれば、通知メッセージを提供する。図７に示されているように、アラームメッセージ２０１がポップアップウィンドウの形態で提供でき、“Ｎｅａｒ  Ｋｉｄｓ  通知が到着しました”と表示して教師から通知メッセージが受信されたことを通知する。
【００７８】
この時、アラームには詳細の表示が可能な開けるメニュー２０２、アラームの表示を終了するための閉じるメニューなどが表示され、開けるメニュー２０２の選択が入力されれば、乳幼児アプリケーションが活性化され、この乳幼児アプリケーションを通してインタラクションサービス装置から受信した通知メッセージを閲覧できる。
【００７９】
図８は、保護者端末に通知メッセージが表示された画面を例示する図面である。
【００８０】
図８に示されているように、表示ウィンドウに表示された通知メッセージの一部領域にソーシャルコマースサービス提供装置４００の接続アドレス２０５が含まれている場合、保護者が接続アドレス２０５を選択したら、保護者端末２００は上記接続アドレスに接続され、ソーシャルコマースサービス提供装置４００からサービスの提供を受ける（Ｓ９０〜Ｓ１００）。例えば、図８のように、準備物が弁当である場合、弁当販売専門モールの接続アドレスを選択して上記弁当販売専門モールに接続し電子商取引を通して所望の弁当を注文し決済できる。このような電子商取引決済方法は従来技術であるため、その説明は省略する。
【００８１】
一方、本発明は、上述の教師端末におけるインタラクションサービスを提供するための方法ソフトウェア的なプログラムとして具現して、コンピュータで読取可能な所定の記録媒体に記録しておくことができる。
【００８２】
教師端末におけるインタラクションサービスを提供する方法のためのプログラムは、乳幼児アプリケーションを実行させた後、乳幼児が所持しているＮＦＣタグをタギングして乳幼児識別情報を獲得する段階と、上記乳幼児識別情報を獲得すれば、通知メッセージの入力を含む使用者メニューを提供する段階と、上記通知メッセージが入力されれば、入力された通知メッセージと上記乳幼児識別情報をインタラクションサービス装置に伝送する段階とを実行する、コンピュータプログラム命令語及びデータであり、コンピュータで読取可能な記録媒体に記録されることができる。
【００８３】
コンピュータプログラム命令語とデータの保存に適したコンピュータで読取可能な記録媒体は、例えば、ＥＰＲＯＭ、ＥＥＰＲＯＭ及びフラッシュメモリ装置のような半導体メモリ装置、例えば、内蔵ハードディスクや外付型ディスクのような磁気ディスク、磁気光学ディスク及びＣＤ−ＲＯＭとＤＶＤ−ＲＯＭディスクを含むあらゆる形態の不揮発性メモリ、媒体及びメモリ装置を含む。プロセッサとメモリは、特殊目的の論理回路により、補充されるか、それに統合されることができる。
【００８４】
本発明の明細書で説明する機能的動作と具現物は、デジタル電子回路で具現されるか、コンピュータソフトウェア、ファームウェア又はハードウェアで具現されるか、これらのうちの一つ以上の組合せで具現されることができる。本発明の明細書で説明する具現物は、一つ以上のコンピュータプログラム製品、即ち、データ処理装置の動作を制御するために、又はこれによる実行のために、有形のプログラム保存媒体上にエンコーディングされたコンピュータプログラム命令に関する一つ以上のモジュールとして具現されることができる。
【００８５】
本発明の図面は動作過程を示しているが、これは、望ましい結果を得るために示された特定の順序でかかる動作が行われるべきと理解したり、示された全ての動作が行なわれるべきと理解してはならない。特定の場合、マルチタスキングとパラレルプロセッシングが有利であり得る。
【００８６】
また、本発明の明細書では特定の実施形態を説明した。実施形態は、以下の特許請求の範囲に属する。例えば、請求項に記載の動作は、異なる順序で行なわれても依然として望ましい結果を達成できる。
【００８７】
以上の説明は、本発明を例示的に説明したものに過ぎず、本発明の属する技術分野における通常の知識を有する者により、本発明の技術的思想から逸脱しない範囲で多様な変形が可能である。よって、本発明の明細書に開示されている実施例は、本発明を限定するものではない。本発明の範囲は、下記特許請求の範囲により解釈されるべきであり、それと均等な範囲内にある全ての技術も本発明の範囲に含まれるものと解釈されるべきである。
【符号の説明】
【００８８】
１００：教師端末
２００：保護者端末
３００：インタラクションサービス装置
４００：ソーシャルコマースサービス提供装置
１１０：通信インターフェース部
１２０：入力部
１３０：ＮＦＣ認識部
１４０：制御部
１５０：乳幼児アプリケーション実行部
１６０：保存部
１７０：表示部
２１０：通信インターフェース部
２２０：入力部
２３０：制御部
２４０：乳幼児アプリケーション駆動部
２５０：保存部
２６０：表示部
３１０：通信インターフェース部
３２０：アプリケーション提供部
３３０：乳幼児情報管理部
３４０：通知メッセージ管理部
３５０：データベース部
【図１】
2015511364.tif 000003
【図２】
2015511364.tif 000004
【図３】
2015511364.tif 000005
【図４】
2015511364.tif 000006
【図５】
2015511364.tif 000007
【図６】
2015511364.tif 000008
【図７】
2015511364.tif 000009
【図８】
2015511364.tif 000010
【国際調査報告】
2015511364.tif 000011
2015511364.tif 000012
2015511364.tif 000013
2015511364.tif 000014